(57)【要約】【課題】  労力が低減され、生産効率が高く、しかも工業的に生産するに適したきのこの栽培方法を提供する。【解決手段】  種菌を接種し、培養させて菌糸が蔓延した団塊状態の培地を、複数の細片状の菌床に分割成形し、各菌床における子実体の形成を実質的に１個に限定して培養させる。成形した培地の大きさとしては、上面の表面積が３０〜７０ｃｍ２、厚さが１．５〜３．５ｃｍ、その質量が１００ｇ以下のものであるときに、良好に効果を発揮する。【選択図】      なし【特許請求の範囲】
【請求項１】
種菌を接種し、培養させてきのこ菌糸が蔓延した菌床塊を、分割成形して細片状の菌床とし、
当該菌床に１個の子実体を形成させて、育成培養すること
を特徴とするきのこの菌床栽培法。
【請求項２】
前記菌床が、
子実体が１個形成するに適した、重量及び／又は厚さに分割成形されたものであること
を特徴とする請求項１に記載のきのこの菌床栽培法。
【請求項３】
前記菌床塊が、
複数の細片状の菌床に、分割成形されるものであること
を特徴とする請求項１又は２に記載のきのこの菌床栽培法。
【請求項４】
前記菌床が板状であって、
その上面の表面積が、３０〜７０ｃｍ２の範囲にあること
を特徴とする請求項１〜３のいずれかに記載のきのこの菌床栽培法。
【請求項５】
前記菌床が板状であって、
その厚さが、１．５〜３．５ｃｍの範囲にあること
を特徴とする請求項１〜３のいずれかに記載のきのこの菌床栽培法。
【請求項６】
前記菌床は、
その質量が、１００ｇ以下のものであること
を特徴とする請求項１〜３のいずれかに記載のきのこの菌床栽培法。
【請求項７】
前記細片状の菌床で子実体を形成させる際に、
当該菌床の底面及び側面が、子実体の形成を阻害する材料で被覆されていること
を特徴とする請求項１〜６のいずれかに記載のきのこの菌床栽培法。
【請求項８】
前記きのこは、
シイタケであること
を特徴とする請求項１〜７のいずれかに記載のきのこの菌床栽培法。
【発明の詳細な説明】
【技術分野】
【０００１】
この発明は、きのこ、特に、シイタケの菌床栽培法に関するもので、きのこの栽培および選別出荷作業の効率を向上させることに関するもので、きのこ栽培技術に関するものである。
【背景技術】
【０００２】
きのこの栽培は大別すると、原木を用いる原木栽培と、オガクズ等に栄養源を添加してなる培地を用いる菌床栽培がある。
【０００３】
きのこの中でも、シイタケは、一般的に、ブナまたはナラなど広葉樹のオガクズに、米糠、トウモロコシ糠、フスマなどの栄養源を添加し、水分を調整してＰＰ製袋に詰めて殺菌して種菌を接種して、１〜２．５ｋｇ前後の円柱状または直方体状の菌床とし、この菌床を温度２３℃前後で３〜４ヶ月培養し、その後、袋から取り出して、低温刺激や浸水操作を加えて、シイタケを数回発生させるという方法で、１菌床当り1回の発生で、１個当り重量２０〜４０ｇの子実体を４〜１２個発生させている。
【０００４】
この菌床栽培を、より具体的に示せば、特開平６−２１７６３９号公報（特許文献１）に示されているように、木粉、米糠、ふすまを８：１：１に混合した培地原料を、ポリプロピレン製袋に１ｋｇ充填し、高圧殺菌し、冷却後、シイタケ種菌を接種し、図２に示すように通気性キャップ９を装填し、容器内で培養した後、容器から取り出して更に培養し、完熟した人工榾を、図１に示すように、多段式栽培棚（幅６０×長さ２４０×高さ１６０ｃｍ、７段）に、一段当り５２個（４×１３個）配列し、設定された温度条件および散水条件下で５か月間栽培してシイタケを収穫する。
【０００５】
しかしながら、これらの方法は、基本的に、ビンや袋等の小型容器を用いて栽培する方法で、人手に頼る生産システムであって、大規模な生産に適するものではないため、より効率的な菌床栽培法が種々提案されてきている。
【０００６】
そこで、特開平２−１６３００５号公報（特許文献２）においては、大規模なきのこの栽培が可能で、しかも生産性を向上させることができる培養方法として、菌糸を無菌培養して蔓延させた培地をほぐし、平面状に盛り込み後、非無菌培養する方法が提案されている。
【０００７】
また、特開平４−１７３０２１号公報（特許文献３）においては、年間を通して充分に採算ベースに合うように生産することが可能で、安定した良質のきのこ類を計画的に生産することができる培養方法として、種菌を接種した培地を殺菌処理後培養処理した培養基を壊砕して所定形状のブロックに成形して育成する方法が提案されている。
【０００８】
さらに、前記特許文献３の第１図や第７図に示されるように、菌糸が蔓延した培地からは、子実体が多数発芽するために、通常、子実体の間引きが必要であるが、間引き作業には多大な手数と時間を要するため、それを軽減する培養方法が、特開平１−１６０４３１号公報（特許文献４）に示されている。
【０００９】
この特許文献４は、菌糸を蔓延させた培養基を大きな塊とし、その周囲やその内部に隙間をあけぬようにして大容量の栽培容器内に収容し、培養基の大きな塊の一部周囲表面部分に、シイタケの子実体が互いに重なり合わないだけの間隔をあけて複数の小孔を透設し、小孔を通してシイタケの子実体を外部に向けて発芽、生育させる方法を開示している。
【００１０】
その方法によれば、小孔から栽培容器容器外部に向けて発芽、成育するきのこは、その子実体が互いに重なり合って互いにその成育や形状に悪影響を及ぼしあうことがないため、多大な手間と時間を要する子実体の間引き作業をほとんど行う必要がないとしている。
【特許文献１】特開平  ６−２１７６３９号公報（実施例、図１、図２）
【特許文献２】特開平  ２−１６３００５号公報（特許請求の範囲、発明の効果）
【特許文献３】特開平  ４−１７３０２１号公報（特許請求の範囲、発明の目的）
【特許文献４】特開平  １−１６０４３１号公報（特許請求の範囲、発明の効果）
【発明の開示】
【発明が解決しようとする課題】
【００１１】
上記したように、ビンや袋等の小型容器を用いる、人手に頼る生産システムを大規模な生産に適するものにする方法が提案されてきているが、特許文献２や３の方法では、従来の方法と同様に、子実体の間引き作業を必要とし、使用培地での収量効率を上げるためには、従来同様、数週間間隔で浸水作業を行い、子実体を４〜５回発生させて収穫する必要がありものであり、長期の栽培期間とそのための労力を必要とするものである。
【００１２】
また、特許文献４に記載の方法は、子実体の発生を小孔に限定することにより、子実体の間引き作業を省略することを可能にするものであるが、小孔での子実体の発生を制御できるものではないため、きのこの収量は偶然に支配されるうえ、収量効率を上げるには、上記した従来方法に頼らざるを得ないのである。
【００１３】
この発明はかかる現状に鑑み、培地重量を少なく、培地の厚さを可能な限り薄くすることによって、初回の発生で最大収量が得られ、菌床きのこ栽培の稼働率の向上に寄与できるとともに、工業製品のように一定規格のきのこを生産でき、しかも規格外品のロスの低減が可能な、きのこの栽培方法を提供するものである。
【課題を解決するための手段】
【００１４】
前記の目的を達成するため、この発明の請求項１に記載の発明は、
種菌を接種し、培養させてきのこ菌糸が蔓延した菌床塊を、分割成形して細片状の菌床とし、
当該菌床に１個の子実体を形成させて、育成培養すること
を特徴とするきのこの菌床栽培法である。
【００１５】
また、この発明の請求項２に記載の発明は、
請求項１に記載のきのこの菌床栽培法において、
前記菌床が、
子実体が１個形成するに適した、重量及び／又は厚さに分割成形されたものであること
を特徴とするものである。
【００１６】
また、この発明の請求項３に記載の発明は、
請求項１又は２に記載のきのこの菌床栽培法において、
前記菌床塊が、
複数の細片状の菌床に、分割成形されるものであること
を特徴とするものである。
【００１７】
また、この発明の請求項４に記載の発明は、
請求項１〜３のいずれかに記載のきのこの菌床栽培法において、
前記菌床が板状であって、
その上面の表面積が、３０〜７０ｃｍ２の範囲にあること
を特徴とするものである。
【００１８】
また、この発明の請求項５に記載の発明は、
請求項１〜３のいずれかに記載のきのこの菌床栽培法において、
前記菌床が板状であって、
その厚さが、１．５〜３．５ｃｍの範囲にあること
を特徴とするものである。
【００１９】
また、この発明の請求項６に記載の発明は、
請求項１〜３のいずれかに記載のきのこの菌床栽培法において、
前記菌床は、
その質量が、１００ｇ以下のものであること
を特徴とするものである。
【００２０】
また、この発明の請求項７に記載の発明は、
請求項１〜６のいずれかに記載のきのこの菌床栽培法において、
前記細片状の菌床で子実体を形成させる際に、
当該菌床の底面及び側面が、子実体の形成を阻害する材料で被覆されていること
を特徴とするものである。
【００２１】
さらに、この発明の請求項８に記載の発明は、
請求項１〜７のいずれかに記載のきのこの菌床栽培法において、
前記きのこは、
シイタケであること
を特徴とするものである。
【発明の効果】
【００２２】
この発明のきのこの菌床栽培法は、きのこ菌糸が蔓延した菌床塊を分割成形して細片状の菌床とし、特に子実体が１個形成するに適した重量及び／又は厚さに分割成形したので、一定の大きさのきのこを安定的に得ることができる。
【００２３】
特に、この発明においては、従来の菌床栽培が、３〜４ヶ月の培養と、その後４〜６ヶ月間に４〜５回浸水発生作業を繰返し行い、培地重量の約４０％にあたる子実体収量を回収していたのに対し、初回の発生だけで約３４％の子実体収量を回収でき、栽培期間の大幅な短縮を可能とするものである。
【００２４】
また、菌糸の蔓延した菌糸塊を、板状の菌床主体に成形することによって、平面状に、しかも多層に、菌床を配列することが可能となるので、機械による処理が可能となり、人手をかけずにきのこの大量生産を可能とするものである。
【００２５】
さらに、板状の菌床主体からは、実質的に１個の子実体がその表面から成育するだけであるため、従来の栽培法で必要とされ、また多大な労力を掛けていた間引き作業を不要とする上、成育するきのこは、大きさの揃ったＭクラスの規格品が主体となり、高品質のものが得られ、規格品外のものの発生も少なく、製品選別の手間を大幅に割愛することのできるものである。
【００２６】
その際、菌床主体の四周と底面を、子実体の形成を阻害する材料、プラスチックフィルムやシート、或いは木質板などで被覆することによって、１個の子実体を、その表面から確実に発生させることが可能で、しかも保温、保湿効果も向上させることができる。
【発明を実施するための最良の形態】
【００２７】
以下、この発明にかかるきのこの栽培方法について、具体的に説明するに、この発明においては、菌糸が蔓延した塊状の菌床を、分割成形して細片状の菌床とし、特に、子実体が１個形成するに適した重量及び／又は厚さに分割成形して、子実体を発生させる点を除けば、従来のきのこの栽培法が適用されるものである。
【００２８】
すなわち、再成形前の菌床塊は、例えば、以下の方法によって得られる。
【００２９】
広葉樹オガクズの木質原料に、市販のきのこ栽培用栄養源を重量比で４：１〜３：１の割合で混合し、水分を６０〜６５％に調整した後、容量８００ｃｃのきのこ培養ビン（ＰＰ製）に約５００ｇ詰め込み、高圧殺菌する。
【００３０】
ついで、シイタケ種菌を接種して温度２３℃、湿度７０〜８０％、暗条件下で９０日間培養すると、シイタケ菌糸が菌床表面に蔓延するので、これを菌床塊とする。
【００３１】
かくして得られた菌床塊は、分割成形して細片状の菌床とし、特に、子実体が１個形成するに適した重量及び／又は厚さに分割成形して菌床とし、該菌床を用いて子実体を発生させるもので、具体的には、複数の板状の菌床に、以下に詳述するような形状の菌床に細分化させるものである。
【００３２】
成形して細分化させた菌床の大きさは、きのこの種類、培地の材質、栄養源の種類と添加量などにより変化するもので、1個の、より正確には実質的に１個のきのこ子実体を生育させるためには、上面の表面積が、少なくとも３０〜７０ｃｍ２前後、厚さが１．５〜３．５ｃｍ前後で、その質量が１００ｇ以下の板状のものであることが好ましい。
【００３３】
前記質量の決定は、あらかじめビンあるいは袋に充填した菌床培地で、例えばシイタケ菌を培養し、しかる後に菌床塊を掻き出し、子実体の発生を可能にする最小の培地重量を計算で求めることで行なうことができる。また、板状の菌床の形状は、方形、矩形あるいは円盤状などであってもよく、特段の制限はない。
【００３４】
この板状の菌床は、保湿のためシートなどで被覆し、温度２３℃で２〜３週間培養して完熟させる。しかる後に、温度１７℃、湿度９０％、照度５００ｌｕｘの条件下に変化させることによって子実体の形成を促すものである。
【００３５】
なお、１ｋｇ〜２ｋｇの円柱状、あるいは２．５ｋｇの直方体状の公知の菌床を用いてシイタケを栽培した場合、子実体は、通常、菌床の側面から発生し、その発生個数は不確定である。しかしながら、この発明の方法によれば、子実体は、主として、板状の菌床主体の上面から１個発生するのである。
【００３６】
その際、菌床塊を再成形せず、最初から菌床を小型の平板状に形成し、この菌床に種菌を接種して培養すると、シイタケでは少なくとも４０日以上の長期の培養基間を要することから、菌床上面の乾燥などに起因して、子実体の発生は極めて困難となる。
【００３７】
この発明において、子実体は、板状の菌床に、1個の、より正確には実質的に1個発生させるもので、菌床を大きくして、複数の子実体を発生させると、この発明の目的とする効果が得られない。なお、実質的に1個の発生とは、多数の菌床の中には、２個又はそれ以上の子実体を発生させるものがあるが、全体的にみて１個のみ発生したものが大多数で、あるいは平均すると殆ど１個であるという状態を示すものである。
【００３８】
この発明は、種々のきのこに応用可能なものであるが、シイタケの栽培に特に有効なもので、シイタケの品種としては、菌床用の品種であれば特に制限されるものではなく、具体的には、早生用のシイタケ種菌を用いることが好ましい。
【実施例】
【００３９】
以下に、実施例を掲げて、この発明にかかるきのこの菌床栽培法を、さらに具体的に説明するが、この発明は、この例示に限定されるものではない。
【００４０】
＜実施例１＞
ナラのオガクズを１５０ｇと、シイタケ栽培用栄養源デルトップ（森産業株式会社製）５０ｇに、水道水０．３リットル（３００ｇ）を加えて混合し、容積８００ｃｃ広口培養ビンに充填して培地を作製した。
【００４１】
得た培地を温度１２１℃、９０分加圧滅菌したのち冷却し、シイタケ種菌ＸＲ１８（森産業株式会社製製）を接種し、暗所にて温度２３〜２５℃、湿度６０〜８０％の条件で９０日間培養した。
【００４２】
シイタケ菌糸が菌床に蔓延するまで培養した後、シイタケ菌糸の蔓延した菌床塊を掻き出し、一定の上面積（直径８．５ｃｍ：面積５７ｃｍ２）で厚さの異なる円盤状の菌床に再成形した。
【００４３】
菌床の水分を維持するため、ビニールシートで被覆し、温度２３〜２５℃、湿度６０〜８０％の条件で２週間熟成させた。その後、温度１７℃、湿度８０〜９０％、照度５００ｌｕｘの条件に移行させると、１週間で子実体原基が形成された。シートを取外し、子実体を生育させた。その結果を表１に示した。
【００４４】
表１から明らかなように、菌床の高さが低いほど、子実体の発生個数、収量ともに少なかったが、収率は高く、しかも収穫までの平均日数は短く、経済的に有利であることがわかった。なお、得られた子実体の大きさ（金傘の直径）は４〜６ｃｍであった。
【００４５】
【表１】
2005261377.tif 000002
＜実施例２＞
つぎに、菌床の高さを３ｃｍとし、上部の表面積を変えて、実施例１と同様にシイタケを栽培し、その結果を表２に示した。
【００４６】
表２から明らかなように、表面積が小さいほど収量（重量、発生個数）は少なかったが、一定の規格（重量、大きさ）のシイタケが発生することがわかった。
【００４７】
また、菌床の厚さは１．５〜３．５ｃｍ以下、上部面積は３０〜７０ｃｍ２とすることにより、さらに、菌床の重量を１００ｇ以下とすることにより、実質的に１菌床主体当たり子実体を１個だけ発生させ、その子実体も所望の大きさに形成させることができることを明らかにしている。
【００４８】
【表２】
2005261377.tif 000003